【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
入射した光束を分光及び集光する凹面回折格子と、一方向に配列された複数の受光素子を備える受光部材と、前記凹面回折格子によって分光された光束が通過する開口部が形成された筐体と、を有し、前記筐体で前記凹面回折格子及び前記受光部材を支持し、前記凹面回折格子によって分光及び集光された光束を前記複数の受光素子で受光する分光測色装置において、
前記筐体の外側には、前記凹面回折格子のローランド円上の、前記複数の受光素子が受光する光束の通過領域内にある円弧部分での所定の接線と平行な面であって、前記受光部材が当接する調整面が形成されており、
前記受光部材は、前記調整面に当接して沿って移動させることにより、前記筐体に固定される位置が調整されることを特徴とする分光測色装置。
【請求項２】
前記受光部材を前記調整面に当接して沿って移動させることにより、前記受光部材は、前記所定の接線に直交する方向に関して、前記ローランド円の中心との距離を一定に保ったまま移動することを特徴とする請求項１に記載の分光測色装置。
【請求項３】
前記受光部材を前記調整面に当接した状態であるとき、前記複数の受光素子の配列方向は前記調整面に平行であることを特徴とする請求項１又は２に記載の分光測色装置。
【請求項４】
前記受光部材は前記筐体に接着剤で固定されており、前記筐体に前記接着剤を付着させる接着部は、前記ローランド円の前記円弧部分における半径方向と前記複数の受光素子の配列方向とに直交する方向に関して、前記受光部材を挟んで対向する２箇所に配置されていることを特徴とする請求項１乃至３のいずれか一項に記載の分光測色装置。
【請求項５】
前記接着部は、前記複数の受光素子の配列方向に関して、前記複数の受光素子の中央部に対向する位置に設けられていることを特徴とする請求項４に記載の分光測色装置。
【請求項６】
前記２箇所の接着部の夫々は、前記筐体の外側に設けられた凸部であり、前記受光部材は、前記凸部と前記受光部材との間の接着剤によって前記筐体に固定されていることを特徴とする請求項４又は５に記載の分光測色装置。
【請求項７】
前記受光部材は、前記調整面に当接する光透過部材を備え、前記光透過部材は前記受光素子よりも前記ローランド円の中心側の位置に配置されていることを特徴とする請求項１乃至６のいずれか一項に記載の分光測色装置。
【請求項８】
前記筐体を覆う蓋部材を有し、前記蓋部材は、前記受光部材の前記調整面に当接する面の裏側の面の外側を覆う受光部材カバー部を備えることを特徴とする請求項１乃至７のいずれか一項に記載の分光測色装置。
【請求項９】
前記受光部材の前記調整面に当接する面の裏側の面を覆う裏面部と、前記受光部材の側面を覆う側面部と、を備えた、前記受光部材を保持する保持部材を有し、前記受光部材は前記保持部材を介して前記筐体に固定されていることを特徴とする請求項１乃至８のいずれか一項に記載の分光測色装置。
【請求項１０】
前記受光部材を前記筐体に固定する位置は、前記受光部材を、前記調整面に当接した状態で前記複数の受光素子の配列する方向に移動させることにより調整されていることを特徴とする請求項１乃至９のいずれか一項に記載の分光測色装置。
【請求項１１】
前記受光部材を前記筐体に固定する位置は、前記受光部材を、前記調整面に当接した状態で、前記ローランド円の、前記円弧部分における半径方向と前記複数の受光素子の配列方向とに直交する方向に移動させることにより調整されていることを特徴とする請求項１乃至１０のいずれか一項に記載の分光測色装置。
【請求項１２】
前記受光部材を前記筐体に固定する位置は、前記受光部材を、前記調整面に当接した状態で回転させることにより調整されていることを特徴とする請求項１乃至１０のいずれか一項に記載の分光測色装置。
【請求項１３】
前記凹面回折格子に入射する光を規制するスリットを有し、
前記受光部材を前記筐体に固定する位置の調整は、前記スリットの位置の調整を行った後に行われていることを特徴とする請求項１乃至１２のいずれか一項に記載の分光測色装置。
【請求項１４】
前記調整面は前記筐体の側壁に設けられていることを特徴とする請求項１乃至１３のいずれか一項に記載の分光測色装置。
【請求項１５】
入射した光束を分光及び集光する凹面回折格子と、一方向に配列された複数の受光素子を備える受光部材と、前記凹面回折格子によって分光された光束が通過する開口部が形成された筐体と、を有し、前記筐体で前記凹面回折格子及び前記受光部材を支持し、前記凹面回折格子によって分光及び集光された光束を前記複数の受光素子で受光する分光測色装置の調整方法において、
前記筐体の外側には、前記凹面回折格子のローランド円上の、前記複数の受光素子が受光する光束の通過領域内にある円弧部分での所定の接線と平行な面であって、前記受光部材が当接する調整面が形成されており、
前記受光部材を前記調整面に当接して沿って移動させることにより、前記筐体に固定する位置を調整することを特徴とする分光測色装置の調整方法。
【請求項１６】
前記受光部材を前記調整面に当接して沿って移動させることにより、前記受光部材は、前記所定の接線に直交する方向に関して、前記ローランド円の中心との距離を一定に保ったまま移動することを特徴とする請求項１５に記載の分光測色装置の調整方法。
【請求項１７】
前記受光部材を前記調整面に当接した状態で、前記複数の受光素子の配列方向は前記調整面に平行であることを特徴とする請求項１５又は１６に記載の分光測色装置の調整方法。
【請求項１８】
前記受光部材を、前記調整面に当接した状態で前記複数の受光素子の配列する方向に移動させることにより、前記受光部材を前記筐体に固定する位置を調整することを特徴とする請求項１５乃至１７のいずれか一項に記載の分光測色装置の調整方法。
【請求項１９】
前記受光部材を、前記調整面に当接した状態で前記ローランド円のうち前記複数の受光素子が受光する光束の領域内の部分における半径の方向と前記複数の受光素子の配列方向とに直交する方向に移動させることにより、前記受光部材を前記筐体に固定する位置を調整することを特徴とする請求項１５乃至１８のいずれか一項に記載の分光測色装置の調整方法。
【請求項２０】
前記受光部材を、前記調整面に当接した状態で回転させることにより、前記受光部材を前記筐体に固定する位置を調整することを特徴とする請求項１５乃至１９のいずれか一項に記載の分光測色装置の調整方法。
【請求項２１】
前記凹面回折格子に入射する光を規制するスリットを有し、
前記受光部材を前記筐体に固定する位置の調整は、前記スリットの位置の調整を行った後に行われることを特徴とする請求項１５乃至２０のいずれか一項に記載の分光測色装置の調整方法。
【請求項２２】
前記受光部材の前記調整面に当接する面の裏側の面を覆う裏面部と、前記受光部材の側面を覆う側面部と、を備えた、前記受光部材を保持する保持部材を有し、前記保持部材を介して前記受光部材を支持しながら前記受光部材を前記筐体に固定する位置の調整を行うことを特徴とする請求項１５乃至２１のいずれか一項に記載の分光測色装置の調整方法。
【請求項２３】
前記調整面は前記筐体の側壁に設けられていることを特徴とする請求項１５乃至２２のずれか一項に記載の分光測色装置の調整方法。